(57)【要約】【課題】ＭＢＭＳ用データを送信する移動無線通信システムに関し、無線基地局から同一タイミングで送信する。【解決手段】アクセスゲートウェイ１からマルチキャストデータ又はブロードキャストデータを無線基地局２，３へ伝送し、無線基地局２から複数の無線移動局３へそのデータを送信する移動無線通信システムであって、アクセスゲートウェイ１は、マルチキャストデータ又はブロードキャストデータに複数の無線移動局への送信時刻情報を設定したヘッダを付加して、無線基地局２へ送出する手段を備え、無線基地局２は、ヘッダに設定された送信時刻情報に従って、マルチキャストデータ又はブロードキャストデータを、複数の無線移動局３へ送信する手段を備え、複数の無線移動局３は、無線基地局２から送信されたマルチキャストデータ又はブロードキャストデータを受信する受信手段を備えている。【選択図】図１
2011254507.tif 000002
【特許請求の範囲】
【請求項１】
アクセスゲートウェイからマルチキャストデータ又はブロードキャストデータを無線基地局へ伝送し、該無線基地局から複数の無線移動局へ前記マルチキャストデータ又はブロードキャストデータを送信する移動無線通信システムに於いて、
前記アクセスゲートウェイは、前記マルチキャストデータ又はブロードキャストデータに複数の無線移動局への送信時刻情報を設定したヘッダを付加して前記無線基地局へ送出する手段を備え、
前記無線基地局は、前記ヘッダに設定された前記送信時刻情報に従って、前記アクセスゲートウェイから転送された前記マルチキャストデータ又はブロードキャストデータを、前記複数の無線移動局へ送信する手段を備え、
前記複数の無線移動局は、前記無線基地局から送信された前記マルチキャストデータ又はブロードキャストデータを受信する受信手段を備えた
ことを特徴とする移動無線通信システム。
【請求項２】
アクセスゲートウェイからデータを複数の無線基地局へ伝送し、該複数の無線基地局から無線移動局へ前記データを送信する移動無線通信システムに於いて、
前記アクセスゲートウェイは、前記データに前記無線移動局への送信時刻情報を設定したヘッダを付加して前記複数の無線基地局へ送出する手段を備え、
前記複数の無線基地局は、前記ヘッダに設定された前記送信時刻情報に従って、前記アクセスゲートウェイから転送された前記データを前記無線移動局へ送信する手段を備え、
前記無線移動局は、前記複数の無線基地局から送信された前記データを合成して受信する受信手段を備えた
ことを特徴とする移動無線通信システム。
【発明の詳細な説明】
【技術分野】
【０００１】
本発明は、複数の無線基地局と無線移動局とを含み、各種のデータをパケット化し、複数の無線基地局から同一データを同一タイミングで無線移動局へ送信する移動無線通信システムに関する。
【背景技術】
【０００２】
複数の無線基地局は、ネットワークを介して上位のアクセスゲートウェイと接続し、無線移動局は、移動しながら又は停止した状態で、無線基地局を介して通信する移動無線通信システムは、既に各種のシステム構成が提案され、且つ実用化されている。例えば、ＬＴＥ（Ｌｏｎｇ  Ｔｅｒｍ  Ｅｖｏｌｕｔｉｏｎ）に代表される次世代移動無線通信システムに於いて、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）は、特定地域に存在する複数の無線移動局に対して同一データを提供するサービスであり、マルチキャストサービスとブロードキャストサービスとが規定されている。前者のマルチキャストサービスは、特定のマルチキャストサービスに対して登録、加入したユーザ向けに提供するサービスであり、後者のブロードキャストサービスは、そのサービスエリアに存在する総てのユーザに提供可能とするサービスであって、そのデータを受信するか否かは、ユーザが判断するもので、ネットワーク側との間の制御信号の授受は行わないで済むものである（例えば、非特許文献１参照）。
【０００３】
又同様に、マルチキャストサービスとブロードキャストサービスとを提供する移動無線通信システムに於いて、無線基地局とその上位の制御局とを含み、論理チャネルとして、データを送信するＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）及び制御情報を送信するＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）と、物理チャネルとして、制御情報送信中を通知するＭＩＣＨ（ＭＢＭＳ  Ｎｏｔｉｆｉｃａｔｉｏｎ  Ｉｎｄｉｃａｔｏｒ  Ｃｈａｎｎｅｌ）とを導入し、制御局は、同一制御情報を繰り返し送信する送信時間を変更可能とし、その送信タイミング情報を無線基地局に通知するものである。その為に、制御局のカウンタの第１のカウント値と、無線基地局のカウンタの第２のカウント値との差分を第１のカウント値に加算した値以上の値に相当するタイミングを変更タイミングとして、無線基地局へ通知する手段が提案されている（例えば、特許文献１参照）。
【先行技術文献】
【特許文献】
【０００４】
【特許文献１】特開２００５−３２３１１３号公報
【特許文献２】特開２００１−６９５５９号公報
【特許文献３】特開平９−２６１１５４号公報
【特許文献４】特開２００３−３４８６４３号公報
【非特許文献】
【０００５】
【非特許文献１】３ＧＰＰ  ＴＲ２５．８１４  ｖ７．０．０（２００６−０６）  （３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ）  ７．１．１  Ｂａｓｉｃ  ｔｒａｎｓｉｍｉｓｓｉｏｎ  ｓｃｈｅｍｅ）
【発明の概要】
【発明が解決しようとする課題】
【０００６】
前述のＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の運用時に於いては、複数の無線基地局は、無線移動局に対して同一データを同一タイミングで送信する必要がある。即ち、複数の無線基地局が同一データを同一タイミングで送信できない場合、無線移動局は、ハンドオーバ処理の前後に於けるデータの連続性が得られない問題が生じる。その為、複数の無線基地局は、相互に時間同期をとる必要がある。その場合、前述の非特許文献１に於いて規定されているガードインターバル（Ｃｙｃｌｉｃ  Ｐｒｅｆｉｘ：ＣＰ）の範囲は、Ｌｏｎｇ  ＣＰ（Ｃｙｃｌｉｃ  Ｐｒｅｆｉｘ）  Ｌｅｎｇｔｈとして、１６．６７μｓｅｃと規定されている。即ち、無線基地局間で時間同期をとる場合、少なくもμｓｅｃオーダの精度が必要となる。このような時間精度を維持する為には、各無線基地局に高精度発振器を設ける必要がある。ＭＢＭＳを実現する場合はさらに、この精度を保ちつつアクセスゲートウェイがそれぞれの無線基地局へ同一のメッセージを送信し、各無線基地局から無線移動局へ同一タイミングで送信する仕組みが必要となる。
【０００７】
本発明は、前述の従来の問題を解決するもので、各無線基地局で時間同期を必要とする環境に於いて、複数の無線基地局から同一データを同一タイミングで送信できるようにすることを目的とする。
【課題を解決するための手段】
【０００８】
本発明の移動無線通信システムは、アクセスゲートウェイからマルチキャストデータ又はブロードキャストデータを無線基地局へ伝送し、該無線基地局から複数の無線移動局へ前記マルチキャストデータ又はブロードキャストデータを送信する移動無線通信システムに於いて、前記アクセスゲートウェイは、前記マルチキャストデータ又はブロードキャストデータに複数の無線移動局への送信時刻情報を設定したヘッダを付加して前記無線基地局へ送出する手段を備え、前記無線基地局は、前記ヘッダに設定された前記送信時刻情報に従って、前記アクセスゲートウェイから転送された前記マルチキャストデータ又はブロードキャストデータを、前記複数の無線移動局へ送信する手段を備え、前記複数の無線移動局は、前記無線基地局から送信された前記マルチキャストデータ又はブロードキャストデータを受信する受信手段を備えている。
【０００９】
又アクセスゲートウェイからデータを複数の無線基地局へ伝送し、該複数の無線基地局から無線移動局へ前記データを送信する移動無線通信システムに於いて、前記アクセスゲートウェイは、前記データに前記無線移動局への送信時刻情報を設定したヘッダを付加して前記複数の無線基地局へ送出する手段を備え、前記複数の無線基地局は、前記ヘッダに設定された前記送信時刻情報に従って、前記アクセスゲートウェイから転送された前記データを前記無線移動局へ送信する手段を備え、前記無線移動局は、前記複数の無線基地局から送信された前記データを合成して受信する受信手段を備えている。
【発明の効果】
【００１０】
アクセスゲートウェイからマルチキャストデータ又はブロードキャストデータを無線基地局へ伝送し、その無線基地局から複数の無線移動局へマルチキャストデータ又はブロードキャストデータを送信し、無線基地局は、ヘッダに設定された送信時刻情報に従って、マルチキャストデータ又はブロードキャストデータを、複数の無線移動局へ送信することにより、ＭＢＭＳサービスを容易に実現可能となり、ヘッダには送信時刻情報を設定するだけであるから、その構成が複雑化することがない利点がある。
【図面の簡単な説明】
【００１１】
【図１】本発明の実施例１の要部説明図である。
【図２】本発明の実施例１の無線基地局の要部説明図である。
【図３】ＭＢＭＳ用データ送信時の概要説明図である。
【図４】ＭＢＭＳ用データとヘッダとの説明図である。
【図５】ＭＢＭＳ用データ伝送時の概要説明図である。
【図６】本発明の実施例１のフローチャートである。
【発明を実施するための形態】
【００１２】
本発明の移動無線通信システムは、アクセスゲートウェイからマルチキャストデータ又はブロードキャストデータを無線基地局へ伝送し、該無線基地局から複数の無線移動局へ前記マルチキャストデータ又はブロードキャストデータを送信する移動無線通信システムに於いて、前記アクセスゲートウェイは、前記マルチキャストデータ又はブロードキャストデータに複数の無線移動局への送信時刻情報を設定したヘッダを付加して前記無線基地局へ送出する手段を備え、前記無線基地局は、前記ヘッダに設定された前記送信時刻情報に従って、前記アクセスゲートウェイから転送された前記マルチキャストデータ又はブロードキャストデータを、前記複数の無線移動局へ送信する手段を備え、前記複数の無線移動局は、前記無線基地局から送信された前記マルチキャストデータ又はブロードキャストデータを受信する受信手段を備えている。
【００１３】
又アクセスゲートウェイからデータを複数の無線基地局へ伝送し、該複数の無線基地局から無線移動局へ前記データを送信する移動無線通信システムに於いて、前記アクセスゲートウェイは、前記データに前記無線移動局への送信時刻情報を設定したヘッダを付加して前記複数の無線基地局へ送出する手段を備え、前記複数の無線基地局は、前記ヘッダに設定された前記送信時刻情報に従って、前記アクセスゲートウェイから転送された前記データを前記無線移動局へ送信する手段を備え、前記無線移動局は、前記複数の無線基地局から送信された前記データを合成して受信する受信手段を備えている。
【実施例１】
【００１４】
図１は、本発明の実施例１の要部説明図であり、（Ａ）はアクセスゲートウェイの要部機能を示し、（Ｂ）はアクセスゲートウェイと無線基地局との間の伝送遅延時間の説明図である。図１の（Ａ）に於いて、１はアクセスゲートウェイ、２は無線基地局、３は無線移動局、４は上位装置、１１は呼処理監視制御機能部、１２は伝送路インタフェース機能部、１３はユーザプレーン機能部、１４はゲートウェイインタフェース機能部、１５は呼処理機能部、１６はユーザプレーン機能部、１７はヘッダ処理部を示す。
【００１５】
図１に於いては、アクセスゲートウェイ１に、単一の無線基地局２とこの無線基地局２に単一の無線移動局３が接続された状態を図示しているが、図示を省略したネットワークを介して、単一又は複数の上位装置４及び複数の無線基地局２が接続され、又無線移動局３も複数存在するものであり、無線基地局２との間は無線で接続されて、移動無線通信システムを構成している。なお、アクセスゲートウェイ１と無線基地局２と無線移動局３と上位装置４の主要部は、それぞれ既に知られた構成を適用することができるが、本発明の実施例１に於いては、アクセスゲートウェイ１のユーザプレーン機能部１３に、ヘッダ処理部１７を設ける。このヘッダ処理部１７は、上位装置４からのデータをゲートウェイインタフェース機能部１４により受信してＭＢＭＳ用データとする時に、このＭＢＭＳ用データを無線基地局２が送信する時刻を通知する為の送信時刻情報を設定したヘッダを生成し、このヘッダをＭＢＭＳ用データに付加し、伝送路インタフェース機能部１２を介して無線基地局２へ送信する。又呼処理監視制御機能部１１は、無線基地局２を介して無線移動局３に対する呼処理の制御を行うものである。又ユーザプレーン機能部１３は、無線基地局２を介した無線移動局３との間のデータの送受信の管理及び制御を行う。
【００１６】
無線基地局２へ送信するＭＢＭＳ用データに対するヘッダに設定する送信時刻情報は、アクセスゲートウェイ１のユーザプレーン機能部１３に於いて算出することができる。この場合、図１の（Ｂ）に示すように、アクセスゲートウェイ１から無線基地局２へデータを送信する時刻をｔ１（送信タイムスタンプ）、無線基地局２が受信した時刻をｔ２（受信タイムスタンプ）、無線基地局２からアクセスゲートウェイ１に送信した時刻をｔ３（伝送タイムスタンプ）、アクセスゲートウェイ１が受信した時刻をｔ４（応答受信）とすると、下り伝送遅延時間Δｔｄ＝ｔ２−ｔ１、上り伝送遅延時間Δｔｕ＝ｔ４−ｔ３となる。各無線基地局２が無線移動局３へ送信する時刻ｔｓは、ｔｓ＞ｔ１＋Δｔｄの条件とする必要がある。それにより、各無線基地局２は、無線移動局３に対して同一時刻にＭＢＭＳ用データを送信することができるから、無線移動局３は、隣接する無線基地局２間を移動した場合でも、連続してＭＢＭＳ用データを受信することができる。
【００１７】
又システム立ち上げ初期や運用中等に於いて、アクセスゲートウェイ１からヘッダに設定した送信時刻情報が無線基地局２に通知された時点で、その無線基地局２に於いては、現在時刻が指定データ送信時刻を過ぎている場合がある。このような場合には、無線基地局２は、現在時刻と指定データ送信時刻との差を修正時間差分ｔｅとして、無線基地局２からアクセスゲートウェイ１に指定データ送信時刻エラーを通知する。アクセスゲートウェイ１は、無線基地局２へ通知する指定データ送信時刻ｔｄを修正する。即ち、ｔｓ＞ｔ１＋Δｔｄ＋ｔｅの時刻関係となるように修正することになる。
【００１８】
各無線基地局２は、アクセスゲートウェイ１からの指定データ送信時刻にＭＢＭＳ用データを送信するものであるから、アクセスゲートウェイ１を含めて時刻同期をとることが必要であり、例えば、ＧＰＳ（Ｇｌｏｂａｌ Ｐｏｓｉｔｉｏｎｉｎｇ Ｓｙｓｔｅｍ）を利用するか、電波時計用の放送波を利用するか、又は、アクセスゲートウェイ１から時刻情報としてカウンタのカウント値を各無線基地局２へ、前述のヘッダ等により通知し、各無線基地局２は、アクセスゲートウェイ１との間の伝送遅延時間を基に時刻情報を示すカウンタのカウント値を修正する手段を設けることができる。又送信時刻情報をカウント値としてヘッダに設定することも可能である。
【００１９】
図２は、本発明の実施例１の無線基地局の要部説明図であり、２１は図示を省略した無線移動局との間で送受信する為のアンテナ、２２は前置増幅器（ＭＨＡ；Ｍａｓｔ  Ｈｅａｄ  Ａｍｐｌｉｆｉｅｒ）、２３は電力増幅器（ＴＰＡ；Ｔｒａｎｓｍｉｔ  Ｐｏｗｅｒ  Ａｍｐｌｉｆｉｅｒ）、２４は送受信制御部、２５は制御処理部、２６は送受信部（ＴＲＸ；Ｔｒａｎｓｍｉｔｔｅｒ  Ｒｅｃｅｉｖｅｒ）、２７はベースバンド処理部（ＢＢ；Ｂａｓｅ Ｂａｎｄ  Ｕｎｉｔ）、２８はヘッダ処理部、２９はインタフェース部（ＩＦ）、３０は図示を省略したネットワークを介してアクセスゲートウェイとの間で送受信する為のハイウェイインタフェース部（ＨＷＩＦ；Ｈｉｇｈ  Ｗａｙ  Ｉｎｔｅｒｆａｓｅ）、３１は共通メモリ（ＣＭ；Ｃｏｍｍｏｎ  Ｍｅｍｏｒｙ）、３２は呼制御プロセッサ（ＣＰＵ；Ｃａｌｌ  Ｐｒｏｃｅｓｓｉｎｇ  Ｕｎｉｔ）、３３はデータベース（ＤＢ；Ｄａｔａ Ｂａｓｅ  Ｕｎｉｔ）を示す。なお、無線移動局との間の送受信機能をまとめて示すものである。
【００２０】
アクセスゲートウェイから制御処理部２５のハイウェイインタフェース部３０により、ヘッダが付加されたＭＢＭＳ用データを受信すると、呼制御プロセッサ３２の制御によってインタフェース部２９から送受信制御部２４のベースバンド処理部２７へ転送し、ＭＢＭＳ用データに付加されたヘッダをヘッダ処理部２８へ転送する。ヘッダ処理部２８は、ＭＢＭＳ用データに付加されたヘッダに設定された送信時刻情報を基に無線移動局に対するＭＢＭＳ用データの送信時刻を決定する。この場合、前述のように、指定データ送信時刻が現在時刻を過ぎている場合は、アクセスゲートウェイに対して、ハイウェイインタフェース部３０を介して、指定データ送信時刻エラーを通知する。
【００２１】
図３は、ＭＢＭＳ用データの送信の概要説明図であり、アクセスゲートウェイ（ａＧＷ：ａｃｃｅｓｓ  Ｇａｔｅ  Ｗａｙ）１と、無線基地局（ｅＮＢ：ｅｎｈａｎｃｅｄ  ＮｏｄｅＢ）２−１，２−２と、無線移動局（ＵＥ：Ｕｓｅｒ  Ｅｑｕｉｐｍｅｎｔ）３とを示し、アクセスゲートウェイ１は、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）情報を、例えば、図１に示す上位装置４から受信すると、メッセージ分配として示すように、無線基地局数分コピーして無線基地局２−１，２−２へ転送する。即ち、アクセスゲートウェイ１は、ＭＢＭＳ情報を前述のＭＢＭＳ用データとし、且つ送信時刻情報を設定したヘッダを付加して転送する。各無線基地局２−１，２−２は、ヘッダに設定された送信時刻情報に従った指定データ送信時刻に、そのヘッダを除去したＭＢＭＳ用データを無線移動局３へ送信する。それにより、無線基地局２−１から送信したＭＢＭＳ用データＳ１と、無線基地局２−２から送信したＭＢＭＳ用データＳ２とは、同一時刻に、同一順序のパケットデータＰ１，Ｐ２，Ｐ３，・・・として送信される。無線移動局３は、複数の無線基地局２−１，２−２からのＭＢＭＳ用データを伝播遅延時間差で受信することができ、例えば、遅延波を含めて受信合成するレイク合成等により受信処理することができる。
【００２２】
図４は、ＭＢＭＳ用データ伝送時のヘッダを含む説明図であり、アクセスゲートウェイａＧＷに於いて上位装置から転送されたＰＤＣＰ（Ｐａｃｋｅｔ  Ｄｅｔａ  Ｃｏｎｖｅｒｇｅｎｃｅ  Ｐｒｏｔｏｃｏｌ）ヘッダを含むＰＤＣＰデータをＲＬＣ  ＳＤＵ（Ｒａｄｉｏ  Ｌｉｎｋ  Ｃｏｎｔｒｏｌ  Ｓｅｒｖｉｃｅ  Ｄａｔａ  Ｕｎｉｔ）として、それに送信時刻情報を設定したＭＢＭＳヘッダを付加して、各無線基地局へ転送する。各無線基地局は、ＭＢＭＳヘッダを削除し、ＲＬＣ  ＳＤＵデータを、ＲＬＣ ＰＤＵデータとし、それぞれ宛先情報等を含むヘッダを付加した無線送信単位の図３のパケットデータＰ１，Ｐ２，Ｐ３，・・・として、ＭＢＭＳヘッダに設定された送信時刻情報に従った指定データ送信時刻に送信する。
【００２３】
図５は、ＭＢＭＳ用データ伝送時のシステムの概要を示すもので、アクセスゲートウェイ（ａＧＷ）１と、無線基地局（ｅＮＢ）２−１，２−２と、無線移動局（ＵＥ）３とを含む移動無線通信システムを示し、Ｓ１  Ｉｎｔｅｒｆａｓｅは、アクセスゲートウェイ１と無線基地局２−１，２−２との間のインタフェース、Ｘ２ Ｉｎｔｅｒｆａｓｅは、無線基地局２−１，２−２間のインタフェースを示す。アクセスゲートウェイ１は、図１に示すヘッダ処理部１７に於いて送信時刻情報を設定したヘッダＨを生成し、そのヘッダＨを付加したＭＢＭＳ用データを無線基地局２−１，２−２へＳ１  Ｉｎｔｅｒｆａｓｅを介して転送する。無線基地局２−１，２−２は、図２に示すヘッダ処理部２８に於いて、ヘッダＨに設定された送信時刻情報を抽出し、無線移動局３に対する送信タイミングを取得し、そのヘッダＨを除去して、各無線基地局２−１，２−２から同一タイミングで、例えば、図３に示すパケットデータＰ１として送信する。
【００２４】
図６は、本発明の実施例１のフローチャートであり、ステップ（Ａ１）〜（Ａ９）について説明する。アクセスゲートウェイａＧＷは、上位ネットワーク（図１の上位装置４に相当）からデータ（ＭＢＭＳ用データ）を受信すると（Ａ１）、そのデータの送信先無線基地局ｅＮＢを確認し、そのデータを送信先無線基地局ｅＮＢ数分コピーする（Ａ２）。そして、無線基地局ｅＮＢから無線移動局ＵＥへ送信する時刻を決定し、その送信時刻情報を設定したヘッダをデータに付加する（Ａ３）。その場合のヘッダに設定する送信時刻情報は、μｓｅｃ単位のデータ送信時刻とするか、又は、アクセスゲートウェイａＧＷと無線基地局ｅＮＢと無線移動局ＵＥとの間のタイミング制御用のカウンタのカウント値又は或る基準値からの差分値をカウント値として用いることもできる。そして、そのデータを無線基地局ｅＮＢへ送信する（Ａ４）。
【００２５】
無線基地局ｅＮＢは、ヘッダに含まれている無線移動局ＵＥへの送信時刻情報を取得し（Ａ５）、送信時刻は正しいか否かを判定する（Ａ６）。この判定処理は、無線基地局ｅＮＢ内の時刻情報を基に、現在時刻より将来に向かった時刻を示しているか否か、又無線基地局ｅＮＢのデータ最大保持時間を超えた時刻を示しているか否かとして判定する。即ち、無線基地局ｅＮＢがアクセスゲートウェイａＧＷからの受信時刻が、送信時刻情報に従った送信時刻より時間的に前の時刻は正しいと判定し、更に、受信時刻と送信時刻情報に従った送信時刻との差分が、無線基地局ｅＮＢに於けるデータの最大保持時間より短いと正しいと判定し、それ以外の場合は正しくないと判定する。そして、正しいと判定すると、指定データ送信時刻に無線移動局ＵＥに対する送信を行う（Ａ７）。
【００２６】
又指定された送信時刻の判定結果、正しくなかった場合は、ヘッダに設定された送信時刻情報は破棄し、正しい判定が得られるように送信時刻のずれを計算してアクセスゲートウェイａＧＷに修正時間差分として通知する（Ａ８）。アクセスゲートウェイａＧＷは、無線基地局ｅＮＢから通知された送信時刻のずれを基に送信時刻の計算式を修正し、その修正した送信時刻の情報を次のデータに対するヘッダに設定して通知する（Ａ９）。このような比較的簡単なヘッダを、アクセスゲートウェイａＧＷに於いて生成し、ＭＢＭＳ用データに付加することにより、ＭＢＭＳ用データを複数の無線基地局ｅＮＢから同一の送信時刻に無線移動局ＵＥに対して送信することができる。
【符号の説明】
【００２７】
１  アクセスゲートウェイ
２  無線基地局
３  無線移動局
４  上位装置
１１  呼処理監視制御機能部
１２  伝送路インタフェース機能部
１３  ユーザプレーン機能部
１４  ゲートウェイインタフェース機能部
１５  呼処理機能部
１６  ユーザプレーン機能部
１７  ヘッダ処理部
【図１】
2011254507.tif 000003
【図２】
2011254507.tif 000004
【図３】
2011254507.tif 000005
【図４】
2011254507.tif 000006
【図５】
2011254507.tif 000007
【図６】
2011254507.tif 000008